(57)【要約】      （修正有）【課題】濾過装置を結合する水素生成システムを提供する。【解決手段】濾過装置を結合する水素生成システムは水素生成装置２を備える。水素生成装置２は、ケーシング２１と、液体受容空間２２と、少なくとも２枚の電極シート２３と、第一防水空間２４と、制御回路２５とを更に備える。ケーシング２１は、吸水孔２１１と、第一結合部２１２と、第二結合部２１３とを有する。液体受容空間２２はケーシング２１に内設され、吸水口２２１及び排水口２２２を有する。２枚の電極シート２３は液体受容空間２２に内設される。第一防水空間２４はケーシング２１に内設される。制御回路２５は２枚の電極シート２３に電気的に接続され、第一結合部２１２は濾過装置の水道管１１に結合され、第二結合部２１３は濾過装置のフィルタ１２の外ケース１２Ａに結合される。【選択図】図２Ｄ
0003206663.tif 000002
【実用新案登録請求の範囲】
【請求項１】
水素生成装置を備え、前記水素生成装置は、
少なくとも１つの吸水孔と、第一結合部と、第二結合部とを有するケーシングと、
前記ケーシングに内設され、且つ吸水口及び排水口を有する液体受容空間と、
前記液体受容空間に内設される少なくとも２枚の電極シートと、
前記ケーシングに内設される第一防水空間と、
前記少なくとも２枚の電極シートに電気的に接続される制御回路と、を更に備え、
前記第一結合部が濾過装置の水道管に結合され、前記第二結合部が前記濾過装置のフィルタの外ケースに結合されることで、前記水道管の吸水端が前記ケーシングの前記少なくとも１つの吸水孔に連通され、
前記ケーシングの前記少なくとも１つの吸水孔が前記フィルタの吸水端に連通され、
前記フィルタの排水端が前記液体受容空間の前記吸水口に連通され、
前記液体受容空間の前記排水口が前記水道管の排水端に連通されることを特徴とする、
濾過装置を結合する水素生成システム。
【請求項２】
水素生成装置と、
フィルタと、を備え、
前記水素生成装置は、
少なくとも１つの吸水孔及び結合部を有するケーシングと、
前記ケーシングに内設され、前記ケーシングの前記少なくとも１つの吸水孔に連通される液体受容空間と、
前記液体受容空間に設置される少なくとも２枚の電極シートと、
前記ケーシングに内設される第一防水空間と、
前記少なくとも２枚の電極シートに電気的に接続される制御回路と、を更に備え、
前記フィルタは前記ケーシングに内設され、
前記フィルタは、前記液体受容空間に連通される吸水端と、排水端と、を更に含み、
前記結合部が濾過装置の水道管に結合されることで、前記水道管の吸水端が前記ケーシングの前記少なくとも１つの吸水孔に連通され、前記フィルタの前記排水端が前記水道管の排水端に連通され、
前記少なくとも２枚の電極シートは、前記ケーシングの前記少なくとも１つの吸水孔及び前記フィルタの前記吸水端の間の水流経路に設置されることを特徴とする、
濾過装置を結合する水素生成システム。
【請求項３】
前記制御回路は前記第一防水空間に設置されるワイヤレス電力供給ユニット及び／或いは既定の電源を備えることを特徴とする、請求項１または２に記載の濾過装置を結合する水素生成システム。
【請求項４】
第二防水空間に設置される紫外線殺菌装置を更に備え、前記第二防水空間は前記液体受容空間に隣接されることを特徴とする、請求項１または２に記載の濾過装置を結合する水素生成システム。
【請求項５】
前記制御回路は前記第一防水空間に内設され、或いは前記ケーシングの外部に設置されることを特徴とする、請求項１または２に記載の濾過装置を結合する水素生成システム。
【請求項６】
前記少なくとも２枚の電極シートの間に設置される少なくとも１つの薄膜を更に備えることを特徴とする、請求項１または２に記載の濾過装置を結合する水素生成システム。
【請求項７】
前記第一結合部及び前記第二結合部はねじ山を備えることを特徴とする、請求項１に記載の濾過装置を結合する水素生成システム。
【請求項８】
前記結合部はねじ山を備えることを特徴とする、請求項２に記載の濾過装置を結合する水素生成システム。
【請求項９】
前記水素生成装置のオンとオフの作動制御に用いられる制御スイッチを更に備えることを特徴とする、請求項１または２に記載の濾過装置を結合する水素生成システム。
【請求項１０】
前記制御スイッチは、ワイヤレス通信技術により前記水素生成装置のオンとオフの制御を行うワイヤレス制御モジュールを備えることを特徴とする、請求項９に記載の濾過装置を結合する水素生成システム。
【請求項１１】
前記ワイヤレス通信技術は、赤外線、遠赤外線、無線ＬＡＮ、近距離無線通信、或いは第２世代移動通信を含むことを特徴とする、請求項１０に記載の濾過装置を結合する水素生成システム。
【考案の詳細な説明】
【技術分野】
【０００１】
本考案は、濾過装置を結合する水素生成システムに関する。
【背景技術】
【０００２】
図１Ａは従来の濾過システムを示すブロック図であり、図１Ｂは従来の濾過システムを示す側面図である。
濾過装置１は、水道管１１及びフィルタ１２を備える。水道管１１は給水端１１Ａ及び排水端１１Ｂを含む。フィルタ１２は外ケース１２Ａを具備する。濾過装置１は現在家庭で常用される設備の一つであり、水を濾過させて使用者に飲用させるために用いられている。このほか、水素生成機は現在家庭で常用される設備の一つであり、水を電解させるために使用されている。
【考案の概要】
【考案が解決しようとする課題】
【０００３】
しかしながら、現在市場には様々な機能を有する水素生成機が存在するが、前述した従来の濾過装置では、上述の濾過機能及び水の電解機能が結合された水素生成機はない。
【０００４】
そこで、本考案者は上記の欠点が改善可能と考え、鋭意検討を重ねた結果、合理的設計で上記の課題を効果的に改善する本考案の濾過装置を結合する水素生成システムの提案に到った。
【０００５】
本考案は、以上の従来技術の課題を解決する為になされたものである。即ち、本考案の主な目的は、上述の問題を解決するために、濾過装置を結合する水素生成システムを提供することにある。
【課題を解決するための手段】
【０００６】
上述した課題を解決し、目的を達成するために、本考案に係る濾過装置を結合する水素生成システムは、水素生成装置を備える。水素生成装置は、ケーシングと、液体受容空間と、少なくとも２枚の電極シートと、第一防水空間と、制御回路とを更に備える。ケーシングは、少なくとも１つの吸水孔と、第一結合部と、第二結合部とを有する。液体受容空間はケーシングに内設され、吸水口及び排水口を有する。少なくとも２枚の電極シートは液体受容空間に内設される。第一防水空間はケーシングに内設される。制御回路は少なくとも２枚の電極シートに電気的に接続され、また、第一結合部が濾過装置の水道管に結合され、第二結合部が濾過装置のフィルタの外ケースに結合されることで、水道管の吸水端がケーシングの少なくとも１つの吸水孔に連通され、ケーシングの少なくとも１つの吸水孔がフィルタの吸水端に連通され、フィルタの排水端が液体受容空間の吸水口に連通され、液体受容空間の排水口が水道管の排水端に連通される。
【０００７】
また、本考案の他の濾過装置を結合する水素生成システムは、水素生成装置及びフィルタを備える。水素生成装置は、ケーシングと、液体受容空間と、少なくとも２枚の電極シートと、第一防水空間と、制御回路とを更に備える。ケーシングは少なくとも１つの吸水孔及び結合部を有する。液体受容空間はケーシングに内設され、ケーシングの少なくとも１つの吸水孔に連通される。少なくとも２枚の電極シートは液体受容空間に設置される。第一防水空間はケーシングに内設される。制御回路は少なくとも２枚の電極シートに電気的に接続される。フィルタは水素生成装置のケーシングに内設され、吸水端及び排水端を含む。吸水端は液体受容空間に連通される。排水端は水道管の排水端に連通され、また、結合部が濾過装置の水道管に結合されることで、水道管の吸水端がケーシングの少なくとも１つの吸水孔に連通され、フィルタの排水端が水道管の排水端に連通される。少なくとも２枚の電極シートはケーシングの吸水孔及びフィルタの吸水端の間の水流経路に設置される。
【考案の効果】
【０００８】
上述したように、本考案の濾過装置を結合する水素生成システムは、現在の濾過装置の濾過機能及び水素裝置の水の電解機能が結合されることで、使用者が濾過水を飲用できると同時に、電解水も飲用できる。これにより、本考案は、使用者が濾過後のきれいな不純物のない水を飲用できると同時に、水が電解された後に発生する水素及び酸素も吸収できる。
また、本考案に係る水素生成装置は、結合部の構造により、高速且つ簡単に単独で濾過装置に結合でき、或いは、先にフィルタ及び水素生成装置が統合された後に、濾過装置に結合され、本考案に係る濾過装置を結合する水素生成システムが形成される。これにより、使用者が高速且つ簡単に装設できるようになる。
【図面の簡単な説明】
【０００９】
【図１Ａ】従来の濾過システムを示すブロック図である。
【図１Ｂ】従来の濾過システムを示す側面図である。
【図２Ａ】本考案の第１実施形態による濾過装置を結合する水素生成システムを示すブロック図である。
【図２Ｂ】本考案の第１実施形態による濾過装置を結合する水素生成システムを示す外観斜視図である。
【図２Ｃ】本考案の第１実施形態による濾過装置を結合する水素生成システムを示す展開図である。
【図２Ｄ】本考案の第１実施形態による濾過装置を結合する水素生成システムを示す断面図である。
【図２Ｅ】本考案の水素生成装置を示す断面図である。
【図３Ａ】本考案の他の実施形態による濾過装置を結合する水素生成システムを示すブロック図である。
【図３Ｂ】本考案の他の実施形態による濾過装置を結合する水素生成システムを示す断面図である。
【図３Ｃ】本考案の他の実施形態による濾過装置を結合する水素生成システムを示す断面図である。
【考案を実施するための形態】
【００１０】
以下図面を参照して、本考案を実施するための形態について、詳細に説明する。なお、本考案は、以下に説明する実施形態に限定されるものではない。
【実施例】
【００１１】
（第１実施形態）
図２Ａは本考案の第１実施形態による濾過装置を結合する水素生成システムを示すブロック図であり、図２Ｂは本考案の第１実施形態による濾過装置を結合する水素生成システムを示す外観斜視図であり、図２Ｃは本考案の第１実施形態による濾過装置を結合する水素生成システムを示す展開図であり、図２Ｄは本考案の第１実施形態による濾過装置を結合する水素生成システムを示す断面図であり、図２Ｅは本考案の水素生成装置を示す断面図である。
この実施形態において、濾過装置を結合する水素生成システム３は、先ず水の濾過を行ってから水の電解を行う（図２Ａ参照）。すなわち、水が濾過装置１の吸水端１１Ａからフィルタ１２に進入して濾過された後、水素生成装置２により電解され、濾過装置１の排水端１１Ｂを経て流出される。
【００１２】
濾過装置を結合する水素生成システム３は水素生成装置２を備える。水素生成装置２は、ケーシング２１と、液体受容空間２２と、少なくとも２枚の電極シート２３と、第一防水空間２４と、制御回路２５とを含む。
ケーシング２１は、少なくとも１つの吸水孔２１１と、第一結合部２１２と、第二結合部２１３とを有する。液体受容空間２２はケーシング２１に内設され、吸水口２２１及び排水口２２２を有する。少なくとも２枚の電極シート２３は液体受容空間２２に内設される。第一防水空間２４はケーシング２１に内設される。制御回路２５は少なくとも２枚の電極シート２３に電気的に接続され、また、第一結合部２１２が濾過装置１の水道管１１に結合され、第二結合部２１３が濾過装置１のフィルタの外ケース１２Ａに結合される。フィルタ１２が外ケース１２Ａに設置されることで、濾過装置１の水道管１１の吸水端１１Ａが水素生成装置２のケーシング２１の少なくとも１つの吸水孔２１１に連通され、ケーシング２１の少なくとも１つの吸水孔２１１が濾過装置１のフィルタ１２の吸水端１２１に連通され、フィルタ１２の排水端１２２が液体受容空間２２の吸水口２２１に連通され、液体受容空間２２の排水口２２２が水道管１１の排水端１１Ｂに連通される。
【００１３】
また、制御回路２５は、第一防水空間２４に内設されるワイヤレス電力供給ユニット及び／或いは既定の電源を備える。ワイヤレス電力供給ユニットはワイヤレス受電ユニット及びワイヤレス送電ユニットを含み、ワイヤレス方式により水素生成装置に電力が提供される。或いは、制御回路２５は既定の電源方式により水素生成装置２に電力を提供する。すなわち、水素生成装置２はワイヤレス方式により送電を行うか、または水素生成装置２に内設される独立した電源により水の電解動作が行われる。もしくは、ワイヤレス電力供給ユニット及び既定の電源の両者が同時に結合され、水素生成装置２に電力が提供される。
また、制御回路２５は第一防水空間２４に内設され、或いはケーシング２１の外部に設置される。制御回路２５がケーシング２１の外部に設置され、且つ水素生成装置２に既定の電源方式により電力が提供される場合、使用者がケーシング２１の外部を、例えば電池を使用する既定の電源に交換しやすくなる。
【００１４】
上述したように、水素生成装置２がワイヤレス方式により送電が行われる場合、電力供給ユニットはワイヤレス送電ユニット及びワイヤレス受電ユニットに分けられる。例えば、ワイヤレス受電ユニットは水素生成装置２の制御回路２５に内設され、且つ水素生成装置２が他のワイヤレス送電ユニットに載置され、ワイヤレス送電ユニットにより送電される電力を受電させる。
ワイヤレス電力供給ユニット及び既定の電源の詳しい作動原理及び設計については、本出願者による台湾実用新案出願第ＴＷ１０５２００５４７号明細書「ワイヤレスパワーで給電を行う水素生成器」に記載しているため、再述は省く。
【００１５】
濾過装置を結合する水素生成システム２は、水素生成装置２の外ケース２１に設置されると共に水素生成装置２のオンとオフの作動制御に用いられる制御スイッチ（図示せず）を備える。制御スイッチはタッチセンサーを含み、使用者がタッチセンサーに接触すると作動される。
制御スイッチはワイヤレス制御モジュールを備え、ワイヤレス通信技術により水素生成装置２のオンとオフが作動制御される。すなわち、制御回路２５がケーシング２１の内部に設置されると、制御スイッチはワイヤレス制御モジュールにより制御回路の作動の操作を行う。ワイヤレス通信技術は、赤外線、遠赤外線、無線ＬＡＮ、ブルートゥース（登録商標）、近距離無線通信、或いは第２世代移動通信等の各種のワイヤレス通信技術を含む。制御スイッチがワイヤレス方式により水素生成装置のオンとオフの作動制御を行う点は、本出願者による台湾実用新案出願第ＴＷ１０５２００５４７号明細書「ワイヤレスパワーで給電を行う水素生成器」に記載しているため、再述は省く。
【００１６】
なお、濾過装置を結合する水素生成システム２は、第二防水空間２７に設置される紫外線殺菌装置２６を備える。第二防水空間２７は液体受容空間２２に隣接されているため、液体受容空間２２内の液体に対する殺菌が行いやすくなる。
【００１７】
濾過装置を結合する水素生成システムは、少なくとも２枚の電極シート２３の間に設置される少なくとも１つの薄膜（図示せず）を備える。薄膜は高い導電率を有し、電極シート２３の間の電界強度を高め、導電率を更に高めて電解効率を向上させる。詳しい構造については、本出願者による台湾実用新案出願第ＴＷ１０５２０３８８０号明細書「組み立て式の水素発生装置」に記載しているため、再述は省く。
【００１８】
図２Ｅは本考案の濾過装置を結合する水素生成システムの水素生成装置２を示す断面図である。第一結合部２１２及び第二結合部２１３はねじ山を備え、濾過装置１の水道管１１及びフィルタ１２の外ケース１２Ａにそれぞれ結合される。さらに、本考案に係る濾過装置を結合する水素生成システム３は、取り外し可能な方式により水素生成装置２が濾過装置１に装設され、使用者が先に濾過されてから電解される飲用水を飲用できるようになる。
【００１９】
図３Ａは本考案の他の実施形態による濾過装置を結合する水素生成システムを示すブロック図であり、図３Ｂは本考案の他の実施形態による濾過装置を結合する水素生成システムを示す断面図であり、図３Ｃは本考案の他の実施形態による濾過装置を結合する水素生成システムを示す断面図である。
この実施形態において、濾過装置を結合する水素生成システム５は、先に水の電解を行った後に濾過を行う（図３Ａ参照）。すなわち、水は濾過装置１の吸水端１１Ａから水素生成装置４に進入して電解された後、フィルタ１２により濾過され、最後に濾過装置１の排水端１１Ｂを経て流出される。また、図３Ｂ及び図３Ｃの主な差異は、２枚の電極シートの設置位置が異なっている点であり、図３Ｂの電極シート４３は水流とは垂直になる方向に設置され、図３Ｃの電極シート４３は水流とは平行する方向に設置される。
【００２０】
さらに、濾過装置を結合する水素生成システム５は、水素生成装置４及びフィルタ１２を備える。水素生成装置４は、ケーシング４１と、液体受容空間４２と、少なくとも２枚の電極シート４３と、第一防水空間４４と、制御回路４５とを含む。
ケーシング４１は少なくとも１つの吸水孔４１１及び結合部４１２を有する。液体受容空間４２はケーシング４１に内設され、ケーシングの少なくとも１つの吸水孔４１１に連通される。少なくとも２枚の電極シート４３は液体受容空間４２に設置される。第一防水空間４４はケーシング４１に内設される。制御回路４５は少なくとも２枚の電極シート４３に電気的に接続される。フィルタ１２は水素生成装置４のケーシング４１に内設され、吸水端１２１及び排水端１２２を具備する。吸水端１２１は液体受容空間４２に連通される。排水端１２２は水道管１１の排水端１１Ｂに連通され、結合部４１２が濾過装置１の水道管１１に結合されることで、水道管１１の吸水端１１Ａがケーシング４１の少なくとも１つの吸水孔４１１に連通され、フィルタ１２の排水端１２２が水道管１１の排水端１１Ｂに連通される。少なくとも２枚の電極シート４３はケーシング４１の吸水孔４１１及びフィルタ１２の吸水端１２１の間の水流経路に設置される。
【００２１】
制御回路４５は、第一防水空間４４に内設されるワイヤレス電力供給ユニット及び／或いは既定の電源を備える。ワイヤレス電力供給ユニットはワイヤレス受電ユニット及びワイヤレス送電ユニットを含み、ワイヤレス方式により水素生成装置に電力が提供される。或いは、制御回路４５は既定の電源方式により水素生成装置４に電力を提供する。すなわち、水素生成装置４はワイヤレス方式により送電されるか、或いは水素生成装置４に内設される独立した電源により水の電解動作が行われる。或いは、ワイヤレス電力供給ユニット及び既定の電源の両者が同時に結合され、水素生成装置４に電力が提供される。
また、制御回路４５は第一防水空間４４に内設され、或いはケーシング４１の外部に設置される。制御回路４５はケーシング４１の外部に設置され、且つ水素生成装置４に既定の電源方式により電力が提供される場合、使用者はケーシング４１の外部を、例えば電池を使用する既定の電源に交換しやすくなる。
【００２２】
上述したように、水素生成装置４がワイヤレス方式により送電が行われる場合、電力供給ユニットはワイヤレス送電ユニット及びワイヤレス受電ユニットに分けられる。例えば、ワイヤレス受電ユニットは水素生成装置４の制御回路４５に内設され、且つ水素生成装置４が他のワイヤレス送電ユニットに載置され、ワイヤレス送電ユニットから伝送される電力が受電される。ワイヤレス電力供給ユニット及び既定の電源の詳しい作動原理及び設計は、本出願者による台湾実用新案出願第ＴＷ１０５２００５４７号明細書「ワイヤレスパワーで給電を行う水素生成器」に記載しているため、再述は省く。
【００２３】
濾過装置を結合する水素生成システム５は、水素生成装置４の外ケース４１に設置されると共に水素生成装置４のオンとオフの作動制御に用いられる制御スイッチ（図示せず）を備える。制御スイッチはタッチセンサーを含み、使用者がタッチセンサーに接触することで作動される。
制御スイッチは、ワイヤレス通信技術により水素生成装置４のオンとオフの作動制御を行うワイヤレス制御モジュールを具備する。すなわち、制御回路４５がケーシング４１の内部に設置されると、制御スイッチはワイヤレス制御モジュールにより制御回路の作動の操作を行う。ワイヤレス通信技術は、赤外線、遠赤外線、無線ＬＡＮ、ブルートゥース、近距離無線通信、或いは第２世代移動通信等の各種ワイヤレス通信技術を含む。制御スイッチがワイヤレス方式により水素生成装置のオンとオフの作動制御を行う点は、本出願者による台湾実用新案出願第ＴＷ１０５２００５４７号明細書「ワイヤレスパワーで給電を行う水素生成器」に記載しているため、再述は省く。
【００２４】
濾過装置を結合する水素生成システム４は、第二防水空間４７に設置される紫外線殺菌装置４６を備える。第二防水空間４７は液体受容空間４２に隣接されるため、液体受容空間４２内の液体に対する殺菌が行いやすくなる。
【００２５】
濾過装置を結合する水素生成システムは、少なくとも２枚の電極シート４３の間に設置される少なくとも１つの薄膜（図示せず）を備える。薄膜は高い導電率を有するため、電極シート４３の間の電界強度が高まり、導電率も更に高まり、電解効率が向上する。詳しい構造については、本出願者による台湾実用新案出願第ＴＷ１０５２０３８８０号明細書「組み立て式の水素発生装置」に記載しているため、再述は省く。
【００２６】
以上のとおり、本考案の濾過装置を結合する水素生成システムは、現在の濾過装置の濾過機能及び水素裝置の水の電解機能が結合されており、使用者が濾過水を飲用すると、電解水も同時に飲用される。これにより、本考案は、使用者が濾過後のきれいで不純物のない水を飲用できると同時に、水の電解後に発生する水素及び酸素をも吸収できる。
また、本考案に係る水素生成装置は、結合部の構造により、高速且つ簡単に濾過装置に単独で結合でき、或いは、先にフィルタ及び水素生成装置を統合させてから濾過装置に結合され、本考案に係る濾過装置を結合する水素生成システムが形成される。これにより、使用者が高速且つ簡単に装設できる。
【００２７】
以上、本考案の実施形態について図面を参照して詳述したが、具体的な構成はこの実施形態に限られるものではなく、本考案の要旨を逸脱しない範囲の設計変更等も含まれる。
【符号の説明】
【００２８】
１  濾過装置
１１  水道管
１１Ａ  給水端
１１Ｂ  排水端
１２  フィルタ
１２１  吸水端
１２２  排水端
１２Ａ  外ケース
２、４  水素生成装置
２１、４１  ケーシング
２１１、４１１  吸水孔
２１２  第一結合部
２１３  第二結合部
４１２  結合部
２２、４２  液体受容空間
２２１  吸水口
２２２  排水口
２３、４３  電極シート
２４、４４  第一防水空間
２５、４５  制御回路
２６、４６  紫外線殺菌装置
２７、４７  第二防水空間
３、５  水素生成システム
【図１Ａ】
0003206663.tif 000003
【図１Ｂ】
0003206663.tif 000004
【図２Ａ】
0003206663.tif 000005
【図２Ｂ】
0003206663.tif 000006
【図２Ｃ】
0003206663.tif 000007
【図２Ｄ】
0003206663.tif 000008
【図２Ｅ】
0003206663.tif 000009
【図３Ａ】
0003206663.tif 000010
【図３Ｂ】
0003206663.tif 000011
【図３Ｃ】
0003206663.tif 000012